(57)【特許請求の範囲】
【請求項１】
下方から上方へ向けて搬送される帯状フィルムの両端縁を上方で重合して筒状に成形する横形製袋充填機における製袋装置であって、
フィルムを成形する成形路を形成し、幅調節手段で左右に接近離間する案内体と、
各案内体を上下に接近離間可能に構成した上分割体及び下分割体と、
前記下分割体に対して上分割体を所定の傾斜角度で昇降動する高さ調節手段と、
前記成形路の入口を構成する下分割体の左右の側板及び該側板から側方に延びた底板と、
下分割体の夫々の側板と上分割体との間に前記成形路の入口から出口側に向けた上り勾配の傾斜で張設され、成形路内へ引き込む帯状フィルムを案内し得る傾斜部を形成する紐状部材と、
上分割体に配設され、紐状部材を湾曲して巻き掛けるガイド部材と、該ガイド部材における該紐状部材の巻掛部より上方へ前記傾斜角度より緩やかな傾斜角度で延びる斜辺との夫々を有し、
前記高さ調節手段で上分割体を昇降動した際に、前記傾斜部の傾斜角度と略同角度で前記傾斜部における前記紐状部材の張設長さを変更するよう構成し、
帯状フィルムの両端縁を成形路内に引き込み該フィルムを筒状成形する際に、前記巻掛部から前記斜辺への移行部で、筒状成形するフィルムの上壁部の高さを規制するよう構成した
ことを特徴とする横形製袋充填機における製袋装置。
【請求項２】
前記ガイド部材は、外周縁部に溝部を備え、該溝部から前記紐状部材の縁部が突出して湾曲するように巻き掛けられたことを特徴とする請求項１に記載の横形製袋充填機における製袋装置。
【請求項３】
前記高さ調節手段は、上分割体に連結したリンク機構と前記傾斜部の傾斜角度に沿って昇降動するスライドガイドとリンク機構の回動軸とを設けたことを特徴とする請求項１または請求項２に記載の横形製袋充填機における製袋装置。
【請求項４】
前記成形路内に、帯状フィルムの両端縁を巻掛案内するフィルムガイドを配設し、該フィルムガイドは成形路の入口から出口側へ亘って延在する上巻掛部材及び下巻掛部材と、それらの上下の巻掛部材間に臨み、該成形路の入口から出口側に向けた所定の傾斜で配設され、出口側端部を成形路の中心に対して接近離間可能に構成した可動巻掛部材とを備え、該可動巻掛部材で筒状成形されるフィルムの上縁部を位置決め保持するようにしたことを特徴とする請求項１〜３のうちいずれか一つに記載の横形製袋充填機における製袋装置。
【請求項５】
前記幅調節手段は、前記底板より下方に配設された固定台に回動可能に配設されて各案内体を接近離間するネジ軸と、固定台に挿通されてネジ軸と平行に配設され、各案内体の移動を案内する案内軸とを備えたことを特徴とする請求項１〜４のうちいずれか一つに記載の横形製袋充填機における製袋装置。
【請求項６】
下方から成形路の入口に向けて搬送される帯状フィルムの下方からの案内状態を可変し得る導入ガイドを設けたことを特徴とする請求項１〜５のうちいずれか一つに記載の横形製袋充填機における製袋装置。
【発明の詳細な説明】
【技術分野】
【０００１】
本発明は、横形製袋充填機において、帯状のフィルムを筒状に成形する製袋装置に関するものである。
【背景技術】
【０００２】
下方から移送された帯状のフィルムを、製袋手段におけるフィルム案内路の入口に形成した斜辺で案内してフィルムの両端縁を上方で重合して筒状に成形する製袋装置としては、特許文献１のように、上記フィルム案内路の幅を広げて筒状のフィルムの開口を袋の横幅の変更に対応した大きさに調節し得る製袋装置が知られている。
【先行技術文献】
【特許文献】
【０００３】
【特許文献１】特開平８−２６２０５号公報
【発明の概要】
【発明が解決しようとする課題】
【０００４】
しかし、特許文献１の製袋装置においては、袋の高さ調節手段を備えておらず、異なる高さの袋サイズに対して入口側の上下方向の斜辺からフィルムの重合箇所に至るまでの成形過程でフィルムの上方が引張れて、その良好に行なうことができないといった問題があった。例えば、アルミや和紙等の素材を含んだ腰が強いフィルムを用いる場合等において、フィルムの両端縁を重合するフィルムの搬送過程において筒状に成形されるまでのフィルムの上壁（面）部の高さが定まらず、フィルム内に送り込まれる段積み物品が下方に垂れ下がった筒状のフィルムの上壁に接触して積層姿勢が乱れてしまうといった問題が生じる。
【０００５】
本発明は、横形製袋充填機において、異なる袋のサイズに対応してフィルムの筒状成形を良好になし得る製袋装置を提供することを目的としている。
【課題を解決するための手段】
【０００６】
請求項１の発明に係る横形製袋充填機の製袋装置は、下方から上方へ向けて搬送される帯状フィルム１の両端縁１ａを上方で重合して筒状に成形するものであって、フィルム１を成形する成形路６を形成して幅調節手段で左右に接近離間する案内体５と、各案内体５を上下に接近離間可能に構成した上分割体１６及び下分割体１１と、前記下分割体１１に対して上分割体１６を所定の傾斜角度で昇降動する高さ調節手段と、前記成形路６の入口を構成する下分割体１１の左右の側板２４及び該側板２４から側方に延びた底板２５と、下分割体１１の夫々の側板２４と上分割体１６との間に前記成形路６の入口から出口側に向けた上り勾配の傾斜で張設されて成形路６内へ引き込む帯状フィルム１を案内し得る傾斜部１９ａを形成する紐状部材１９と、上分割体１６に配設され紐状部材１９を湾曲して巻き掛けるガイド部材３１と、該ガイド部材３１における該紐状部材１９の巻掛部より上方へ前記傾斜角度より緩やかな傾斜角度で延びる斜辺２６との夫々を有している。前記高さ調節手段で上分割体１６を昇降動した際に、前記傾斜部１９ａの傾斜角度と略同角度で前記傾斜部１９ａにおける前記紐状部材１９の張設長さを変更するよう構成し、帯状フィルム１の両端縁１ａを成形路６内に引き込み該フィルム１を筒状成形する際に、前記ガイド部材３１における紐状部材１９の巻掛部から前記斜辺２７への移行部で、筒状成形するフィルム１の上壁部の高さを規制するよう構成した。
【０００７】
請求項１の発明では、紐状部材１９の傾斜部１９ａに当接したフィルム１の向きはガイド部材３１を基点に変わり、該紐状部材１９の傾斜部１９ａによってフィルム１に局部的な引き込み抵抗が加わることなく案内されるフィルム１は折り傷が付くことなく良好に成形路６内へ引き込まれて該成形路６の左右及び底部に沿って案内されると共に、ガイド部材３１及び上分割体１６の斜辺２６に当接したフィルム１は折り傷が付くことなく折り返されてフィルム１を重合させる位置に向けて案内され、フィルム１の上部で両端縁１ａが互いに重合した重合端縁部を形成する。また、異なるサイズの袋に対応した高さ調節によってガイド部材３１の高さ位置を適切な位置に設定して成形路６によって得られるフィルム１の開口状態を良好なものとすることができる。
【０００８】
請求項１の発明を前提とする請求項２の発明において、前記ガイド部材３１は、外周縁部３３に溝部３４を備え、該溝部３４から前記紐状部材１９の縁部が突出して湾曲するように巻き掛けられている。請求項２の発明では、傾斜部１９ａから斜辺２６への移行部において案内されるフィルム１には角部が形成されることがなく、製袋皺や折傷を生じることなく円滑に引き込まれる。
【０００９】
請求項１または請求項２の発明を前提とする請求項３の発明において、前記高さ調節手段は、上分割体１６に連結したリンク機構と前記傾斜部１９ａの傾斜角度に沿って昇降動するスライドガイド１５ａとリンク機構の回動軸９とを設けた。請求項３の発明では、回動軸９を回動させることにより、リンク機構により上分割体１６を昇降動させて、下分割体１１に対する上分割体１６の移動並びに位置決めを簡単に行うことができる。
【００１０】
請求項１〜３のうちいずれか一つの発明を前提とする請求項４の発明において、前記成形路６内に、帯状フィルム１の両端縁１ａを巻掛案内するフィルムガイド３９を配設し、該フィルムガイド３９は成形路６の入口から出口側へ亘って延在する上巻掛部材３７ａ及び下巻掛部材３７ｂと、それらの上下の巻掛部材３７ａ，３７ｂ間に臨み、該成形路６の入口から出口側に向けた所定の傾斜で配設され、出口側端部を成形路６の中心に対して接近離間可能に構成した可動巻掛部材３８とを備え、該可動巻掛部材３８で筒状成形されるフィルム１の上縁部を位置決め保持するようにした。請求項４の発明では、成形路６内に引き込まれたフィルム１がフィルムガイド３９に巻掛案内されるため、フィルム１の上壁部が過度に下方へ垂れ下がることがなく、位置決めされた状態で角筒状となる筒状フィルムを得ることができる。
【００１１】
請求項１〜４のうちいずれか一つの発明を前提とする請求項５の発明において、前記幅調節手段は、前記底板２５より下方に配設された固定台７に回動可能に配設されて各案内体５を接近離間するネジ軸８と、固定台７に挿通されてネジ軸８と平行に配設され、各案内体５の移動を案内する案内軸２８とを備えた。請求項５の発明では、ネジ軸８を回動させることにより、各案内体５の幅調節を簡単に行うことができる。
【００１２】
請求項１〜５のうちいずれか一つの発明を前提とする請求項６の発明において、下方から成形路６の入口に向けて搬送される帯状フィルム１の下方からの案内状態を可変し得る導入ガイド２１を設けた。請求項６の発明では、導入ガイド２１により、成形路６への帯状フィルム１の案内状態を可変し得る。
【発明の効果】
【００１３】
本発明は、横形製袋充填機において、異なる袋のサイズに対応してフィルムの成形路の周壁にフィルムを沿わせるように開口させた状態でフィルムを成形することができ、フィルムの両端縁部の重合箇所に至るまでに成形されるフィルムの上壁部の垂れ下がりを抑制して高さを確保し得ると共に安定したフィルム成形をなし得る製袋装置を提供することができる。
【図面の簡単な説明】
【００１４】
【図１】製袋手段において上下の分割体が接近した状態を示す側面図。
【図２】図１の平面図。
【図３】図１の正面図。
【図４】該製袋手段において上下の分割体が離間した状態を示す側面図。
【図５】フィルムガイドでのフィルム折り返し状態を示す概略部分拡大図。
【図６】（ａ）は製袋手段によるフィルムの成形状態を示す側面図、（ｂ）は同じく平面図、（ｃ）は同じく正面図、（ｄ）はガイド部材の部分拡大図。
【発明を実施するための形態】
【００１５】
以下、本発明の好適な実施形態について図面を参照して説明する。
図６（ａ）（ｂ）（ｃ）に示すように、本実施形態における横形製袋充填機は、原反ロール（不図示）からガイドロール２を経て引き出された帯状のフィルム１が下方から上方へ向けて搬送され、両端縁１ａが上方で重合するよう製袋手段３で筒状に成形されると共に、筒状に成形されたフィルム１の両端縁１ａを重合した重合端縁部に縦シ−ルが施される。フィルム１中には、製袋手段３の上流側に配設された供給コンベヤ（不図示）で物品（不図示）を所定間隔毎に供給して、フィルム１中に供給された物品間で横シ−ル及び切断することで、ピロー包装品を得る。製袋手段３は、フィルム搬送方向に対し直交する幅方向の左右両側に配設された一対の案内体５を備え、両案内体５間に帯状のフィルム１を引き込み案内して筒状に成形する成形路６が形成され、その成形路６内に向けて下方から移送された帯状のフィルム１は、前記各案内体５の内面で形成される成形路６の内壁部に沿って下流側に案内されて筒状に成形される。
【００１６】
図１〜３に示すように、前記両案内体５は固定台７に対し後述の幅調節手段によって両案内体５を接近離間して成形路６の左右幅を調節し得るように支持され、固定台７には幅調節手段におけるネジ軸８と該ネジ軸８と平行に配設された回動軸９とが回動可能に支持されている。両案内体５は、支持部材１０と、支持部材１０に取付板１０ａを介して取着した案内片１２とを含む下分割体１１と、該支持部材１０の側壁１０ｂの外方に取着した可動台１３と、可動台１３に配設した腕１４と、腕１４の中間部において奥側に向く斜め上方へ傾斜配設したスライドガイド１５ａに対し移動可能に配設した移動体１５ｂと、移動体１５ｂが取着された上分割体１６と、上下の分割体１１，１６間に夫々連結されたレバー１７及び連動リンク１８と、上下の分割体１１，１６間に夫々に支持され、前記成形路６の入口でフィルム１を引込み案内する傾斜部１９ａを形成する紐状部材１９（図２、図３では不図示）と、支持部材１０の側壁１０ｂにブラケット２０を介して配設された導入ガイド２１との夫々から構成される。
【００１７】
前記成形路６は、固定台７の上部に配設されて成形路６の入口から出口側まで延びる底支持板２２と、前記下分割体１１において、支持部材１０の側壁１０ｂの上端に接続されて成形路６内に所定幅で水平に延出すると共に底支持板２２の下部に重なり、該底支持板２２と同じ長さで入口から出口まで延在する底壁２３と、成形路６の入口を構成する側板２４及び側板２４から側方に延びた底板２５とを有し、底板２５が前記底壁２３の上部に重なる案内片１２との夫々とで形成される内壁部と、上分割体１６における側板１６ａの内壁部とによる内周壁によって形成される。
【００１８】
上分割体１６における側板１６ａに第1の斜辺２６を備え、下分割体１１における案内片１２に第２の斜辺２７を備え、それらは前記成形路６の入口から出口側に向けた上り勾配で傾斜する直線状の斜辺で形成されている。
【００１９】
前記導入ガイド２１は、成形路６の入口より奥側となる斜め下方から成形路６内に送り込まれる帯状フィルム１を案内するガイドバー２１ａを備え、ガイドバー２１ａは、左右の案内片１２における第２の斜辺２７の下方に近接した位置に一端が臨んで、成形路６の入口から奥側に向けた斜め下方に延在すると共に、一対のガイドバー２１ａを下方に向けてハ字状に拡がるように配設して、下方から上方に向けて搬送される帯状フィルム１が成形路６内に引き込まれるように案内する。なお、各ガイドバー２１ａは、フィルムの材質や厚み、又は幅などのフィルムの性状や、入口より下方に配置されたガイドロール２の位置などの諸条件に応じて、例えば長穴等により位置変更して、ブラケット２０または支持部材１０に対する取着姿勢を調節し得るようになっている。具体的には、ブラケット２０を支持部材１０の側壁１０ｂへ上下方向に回動可能に支持して、前記奥側に向けた傾斜角度を調節し得るように構成し、またブラケット２０に対してガイドバー２１ａを左右方向へ回動可能に支持して、前記ハ字状に拡がる下方の拡がり量を調節し得るようにすると共に、ブラケット２０に対してガイドバー２１ａを上下方向に移動可能に構成して、該ガイドバー２１ａの下端の延出位置を調節し得るように構成することで、下方から成形路６の入口に向けて搬送される帯状フィルム１の下方からの案内状態を可変し得る。
【００２０】
幅調節手段において、ネジ軸８と回動軸９と、ネジ軸８と平行な案内軸２８との夫々は、前記可動台１３を貫通し、幅方向両側に延出したネジ軸８の一方の端部にハンドル８ａが取着されている。該ハンドル８ａの操作によってネジ軸８が一体回転し、ネジ軸８の雄ネジ部と可動台１３の雌ねじ部との螺合作用により、可動台１３が配設された各案内体５が回動軸９と案内軸２８とで案内されて幅方向へ接近離間して成形路６の幅を拡縮させる。
【００２１】
高さ調節手段において、回動軸９の一方の端部にはハンドル９ａが、また、回動軸９にはレバー１７が一体回動可能に配設されている。ハンドル９ａの正逆回動操作によって、レバー１７に連結された連動リンク１８で上分割体１６は前記スライドガイド１５ａの傾斜角に沿って図１に示す下降位置と図４に示す上昇位置との間を昇降する。可動台１３には締付部２９が設けられており、ネジ軸８と回動軸９とを共に回動調節後において、幅調節手段と高さ調節手段とにより位置決めされた各案内体５と各分割体１１，１６とを移動不能に係止することができる。
【００２２】
下分割体１１における側板２４の外側には第２の斜辺２７の上端部２７ａに近接して下側ガイド部材３０が回動自在に配設され、また、上分割体１６における側板１６ａの外側には斜辺２６の下端部２６ａに近接して上側ガイド部材３１が回動自在に配設されている。また、上側ガイド部材３１より下流側における斜め上方位置に補助ガイド部材３２が回動自在に配設されている。なお、下側ガイド部材３０及び上側ガイド部材３１は側板２４，１６ａに回動自在に配設されているが、必要に応じて側板２４，１６ａに固着するようにしてもよい。各ガイド部材３０，３１と補助ガイド部材３２との夫々は、円形ローラからなり、図６（ｄ）に示すように、外周縁部３３に溝部３４を有していると共に、各ガイド部材３０，３１の取付基部から外側に向けて小径となるテーパ面３５となるよう面取り形成されている。各ガイド部材３０，３１と補助ガイド部材３２の溝部３４にはワイヤ等からなる紐状部材１９の縁部が溝部３４の外方へ突出するように湾曲して巻き掛けられている。紐状部材１９の一端部側は、下分割体１１の側板２４と支持部材１０とを連結する取付板１０ａに支持され、紐状部材１９の他端部側は、上分割体１６の側板１６ａの外に延出する腕１４の開放端部１４ａに引張コイルばね３６（図１、図２は不図示）を介して支持されている。このため、上分割体１６が下分割体１１に対して異なる高さとなり、下側ガイド部材３０に対する上側ガイド部材３１の位置が変化しても引張コイルばね３６で紐状部材１９に張りが維持され、図１及び図４に示すように上分割体１６が下分割体１１に対して異なる高さとなって上下のガイド部材３０，３１の間に張設された紐状部材１９が、傾斜角度αをなす傾斜部１９ａを形成する。また、傾斜部１９ａの下端が下分割体１１の斜辺２７の上に臨み、傾斜部１９ａの上端となる。上分割体１６における第１の斜辺２６は紐状部材１９の傾斜部１９ａの傾斜角度αより緩やかな傾斜角度β（β＞α）に形成され、該斜辺２６の下端が上側ガイド部材３１に巻き掛けた紐状部材１９上に臨む。
【００２３】
該成形路６の入口側から出口側までに亘る成形路６内には、固定巻掛部材３７と可動巻掛部材３８からなるフィルムガイド３９が着脱可能に配設されている。固定巻掛部材３７は、成形路６の内壁に沿って設けられ、終端が成形路６の出口より所定後方位置までに亘り水平に延在する上巻掛部材３７ａ及び下巻掛部材３７ｂを備え、上下の各巻掛部材３７ａ，３７ｂは始端の連結部３７ｃで接続されている。また、固定巻掛部材３７は、上分割体１６の側板１６ａに対して取着板４０を介して図示しない締結手段によって着脱可能に配設され、上巻掛部材３７ａの上縁部が上側ガイド部材３１の上端部より僅かに高い位置になるよう位置決め設定されて配設されている。
【００２４】
可動巻掛部材３８は、固定巻掛部材３７における上巻掛部材３７ａと下巻掛部材３７ｂとの間に臨む高さ位置で、一端が成形路６の入口側における側板１６ａの外側となる支持部３８ａで水平回動可能に支持され、成形路6内へ傾斜部１９ａの後方より延出すると共に、成形路６の出口に向けて延設され、他端がリンク棒３８ｂの一端と回動可能に連結されている。また、リンク棒３８ｂの他端は、成形路６の出口側における側板１６ａの外側に設けたポスト３８ｃに対して進退移動可能に支持されている。
【００２５】
このような構成によって、可動巻掛部材３８に連結されたリンク棒３８ｂの他端をポスト３８ｃに対して進退移動することで、可動巻掛部材３８は支持部３８ａを回動支点として水平回動し、その他端である出口側端部が成形路６の中心に対して接近離間し、成形路６の入口から出口側に向けて所定の傾斜に設定されて、筒状成形されるフィルム１の上縁部を位置決め保持して下流に向けて案内し得る。
【００２６】
フィルム供給源から引き出された帯状フィルム１は、ガイドロール２を経て製袋手段３の下方から上方に向けて搬送され、導入ガイド２１で下方から支持されて成形路６の入口に設けられた下分割体１１の案内片１２と、上下の分割体１６，１１間に張設した紐状部材１９の傾斜部１９ａと、上分割体１６の側板１６ａにおける第１の斜辺２６との夫々に案内されて成形路６内に引き込まれる。
【００２７】
成形路６内に折り返される帯状フィルム1は、図５に示すように成形路６の入口において、案内片１２と導入ガイド２１におけるガイドバー２１ａの基部が位置する引き込み案内部１ｂは、ガイドバー２１ａの基部両側において角部が成形されることなく湾曲した状態で案内される。
【００２８】
図６（ａ）または図６（ｃ）に示すように、帯状フィルム１は成形路６の入口において、底支持板２２と、下分割体１１の案内片１２における側板２４及び底板２５と、案内片１２の側板２４と上分割体１６の側板１６ａとに設けられた各ガイド部材３０，３１に巻き掛けられて張設された紐状部材１９の傾斜部１９ａと、上下各分割体１６，１１における第１の斜辺２６と第２の斜辺２７との夫々に案内されて成形路６内に引き込まれる。
【００２９】
このとき、傾斜部１９ａより上方に連続する上分割体１６の側板１６ａがなす第１の斜辺２６の傾斜角度βは、傾斜部１９ａの傾斜角度αより緩やかに設定されているので、入口で折り返されて成形路６内に引き込まれる帯状フィルム１は、傾斜部１９ａから第１の斜辺２６への移行部に設けられた上側ガイド部材３１を基点として、帯状フィルム１が筒状に成形される際の上壁が位置規制されて成形路６内に案内される。ここで、上側ガイド部材３１の周縁に巻き掛けられた紐状部材１９は、該上側ガイド部材３１の溝部３４に湾曲して巻き掛けられているので、該傾斜部１９ａから第１の斜辺２６への移行部において案内される帯状フィルム１には角部が形成されることがなく、製袋皺や折傷を生ずることなく円滑に引き込まれる。
【００３０】
また、帯状フィルム１が上下のガイド部材３０，３１の外側に当接して案内される際に、各ガイド部材３０，３１の外側縁部は、取付基部から外方に向けて小径となるテーパ面となるよう面取り形成されているので、フィルム１に折傷が付いたりフィルム１の搬送が阻害されたりすることがない。
【００３１】
また、第１の斜辺２６を経て成形路６へ折り返される帯状フィルム１の両端縁側には、過度な張力が作用することなく、帯状フィルム１の両端縁１ａが下流側において上方で重合する重合端縁部の重なりのズレや重合高さの変動を防止して、成形路６より下流側に配設されたガイド板４１でのフィルム１の両端縁１ａの支持位置のズレや、該ガイド板４１より下流に設けた送りローラ４２によるフィルム１の挟持不良などを防止でき、フィルム１の成形を良好に行うことができる。
【００３２】
成形路６内に引き込まれたフィルム１は図５に示すように成形路６内に配設された固定巻掛部材３７と可動巻掛部材３８とからなるフィルムガイド３９に巻掛案内され、フィルム１の上壁部が過度に下方へ垂れ下がることがなく、位置決めされた状態で角筒状となる筒状フィルムを得ることができる。例えば、段積みされた積層物品などがフィルム１中に送り込まれた際に、垂れ下がったフィルム１の上壁にその積層物品などが当接して積層状態が乱れるなどの問題を生じることがない。
【００３３】
すなわち、成形路６内に引き込まれたフィルム１は、該成形路６の前記内周壁に沿って案内されると共にフィルム１の両端縁１ａが、固定巻掛部材３７の上巻掛部材３７ａの下側と下巻掛部材３７ｂの上側に巻き掛けられると共に、上巻掛部材３７ａと下巻掛部材３７ｂとの間で可動巻掛部材３８に巻き掛けられて、フィルム１の両端縁１ａが成形路６より下流側において上方で重合するよう案内される。
【００３４】
ここで、一対の可動巻掛部材３８は搬送路の出口側で相互に近接するよう傾斜配置されており、筒状に成形されるフィルム１の上壁は、入口から出口側に向けて成形路６の中央部に向けて徐々に接近するＶ字空間部が形成される（成形路内へ押し出されて）。
【００３５】
フィルム１の両端縁１ａは、成形路６より下流側に設けられた一対のガイド板４１の間を経て、その下流側に設けられた送りローラ４２に挟持され相互に重合した状態で下流側に向けて搬送されると共に、図示しない縦シール機構によって該重合端縁部に縦シールが施される。
【００３６】
このようにして、フィルムガイド３９における可動巻掛部材３８と固定巻掛部材３７によってフィルム１の上壁部を位置決め支持して下方への弛みがない状態で案内することができる。
【００３７】
物品の品種変更などに伴って、フィルム１の材質や厚み、または幅などのフィルム１の性状や、入口より下方に配置されたガイドロール２の位置などの諸条件が変更された際には、必要に応じて前記のように各ガイドバー２１ａが配設されたブラケット２０またはブラケット２０の支持部材１０に対する取着姿勢を調節する。また、筒状フィルムの左右幅の変更を要する際には、幅調節手段におけるネジ軸８に設けられたハンドル８ａの正逆回転操作によって左右の案内体５を接近離間する。また、筒状フィルムの高さの変更を要する際には、高さ調節手段における回動軸９に設けられたハンドル９ａの正逆回転操作によってスライドガイド１５ａの傾斜角度に沿って移動体１５ｂを昇降動させ下分割体１１に対する上分割体１６の高さを変更し、上側ガイド部材３１の位置を調節する。また、必要に応じて、前記フィルムガイド３９における可動巻掛部材３８に連結されたリンク棒３８ｂをポスト３８ｃに対して進退移動してフィルム１の両端縁１ａが重合部に向けて案内される上壁部における前記Ｖ字状に形成される案内角度を調節する。
【００３８】
図１または図４に示したように、上分割体１６と下分割体１１とに設けた各ガイド部材３０，３１が相互に接近離間するのに対応して、各ガイド部材３０，３１の間における紐状部材１９の張設長さが変化した際には、前記傾斜部１９ａは、下分割体１１と上分割体１６との間に隙間を生ずることなく連続する直線状となる。従って、成形路６内に引き込まれる帯状フィルム１は傾斜部１９ａにより良好に案内される。また、高さ調節に際して、スライドガイド１５ａの傾斜角度は、上分割体１６が図１に示す下方の移動位置での紐状部材１９における傾斜部１９ａの傾斜角度αと同一角度に設定されており、図４に示す上方の移動位置までの間における高さ位置まで移動する間において、紐状部材１９における傾斜部１９ａの傾斜角度αは略同一で変化することがない。また、上側ガイド部材３１から上方へ延出する上分割体１６の斜辺２６の傾斜角度βは一定であり、紐状部材１９の傾斜部１９ａの傾斜角度αより常に緩やかな角度となる。このように、幅調節手段または高さ調節手段で調節した際にも、フィルム１の上下方向に傾斜する傾斜部１９ａ及び第１の斜辺２６の角度は変化することがなく、成形路６の内周壁にフィルム１を沿わせて成形し得ると共に、フィルム１に過度な張力が作用することなく、フィルム１の成形を常に円滑かつ良好に行うことができる。
【００３９】
なお、上分割体１６は、レバー１７及び連動リンク１８を備えたリンク機構により昇降動させるようにしたので、下分割体１１に対する上分割体１６の移動並びに位置決めを簡単に行うことができる。
【００４０】
本発明の趣旨に反しない範囲で、前記実施形態以外にも適宜変更可能であり、例えば下記のような構成を採用することができる。
・  本実施形態では、上分割体１６の位置に関係なく、上下のガイド部材３０，３１間で紐状部材１９を張設して傾斜部１９ａを形成したが、下側ガイド部材３０を省略して、紐状部材１９の下端を下分割体１１の案内片１２における側板２４に連結して傾斜部１９ａを形成してもよい。また、紐状部材１９の下端を側板２４の下縁近傍に連結することで、傾斜部１９ａの傾斜角度と一致する角度となる第２の斜辺２７を設ける必要がない。
【００４１】
・  本実施形態では、リンク機構によって上分割体１６をスライドガイド１５ａの傾斜角度に沿って移動体１５ｂを昇降動させるようにしたが、上下の分割体１６，１1間に設けたねじ機構や歯車機構などの伝達機構によって移動させるようにしてもよい。
【００４２】
・  幅調節手段と高さ調節手段とは、夫々ハンドル８ａ，９ａによる操作によって調節するようにしたが、それらはモータなどの駆動手段に連結して自動調節するようにしてもよい。
【００４３】
・  本実施形態では、上分割体１６に連結した引張コイルばね３６により紐状部材１９に張力を付与するようにしたが、引張コイルばね３６を下分割体１１に連結してもよい。また、引張コイルばね３６以外の弾性体を採用してもよい。
【００４４】
・  導入ガイド２１は、一対のガイドバー２１ａを備えた構成としたが、細幅状の板状部材としたり、あるいは、下方から送り込まれるフィルム１の下面側全体を支持可能な薄板状部材にしたりするなどの構成にするようにしてもよい。
【００４５】
・  本実施形態において成形路６内に設けたフィルムガイド３９は、必要に応じて採用するようにすればよい。
【符号の説明】
【００４６】
１…フィルム、１ａ…端縁、３…製袋手段、５…案内体、６…成形路、７…固定台、８…ネジ軸、９…回動軸、１１…下分割体、１５ａ…スライドガイド、１６…上分割体、１６ａ…側板、１９…紐状部材、１９ａ…傾斜部、２１…導入ガイド、２４…側板、２５…底板、２７…斜辺、２８…案内軸、３０，３１…ガイド部材、３３…外周縁部、３４…溝部、３７ａ…上巻掛部材、３７ｂ…下巻掛部材、３８…可動巻掛部材、３９…フィルムガイド。
【図１】
0005318045.tif 000002
【図２】
0005318045.tif 000003
【図３】
0005318045.tif 000004
【図４】
0005318045.tif 000005
【図５】
0005318045.tif 000006
【図６】
0005318045.tif 000007